(57)【要約】【課題】送信部から受信部への回り込み信号を低コストで低減する。【解決手段】ベースバンド信号を変調して送信する送信部２と、送信部２と同期を取りながら信号を受信する受信部３と、サーキュレータ４２を介して送信部２及び受信部３に接続され、送受信に兼用されるアンテナ５と、送信部２及び受信部３による送受信を制御する制御部６と、送信部２とサーキュレータ４２との間に設けられ、送信部２から送信される信号の位相を変化させる電圧可変位相器４３とを備え、制御部６が、送信部２から受信部３へ回り込む回り込み信号８、９の電圧レベルを、受信部３の構成要素を利用して検出する回り込み信号レベル検出手段６２と、回り込み信号の電圧レベルに応じて、送信部２から送信される信号の位相を自動的に調整する位相自動調整手段６３とを備える。【選択図】図１
2011087137.tif 000002
【特許請求の範囲】
【請求項１】
ベースバンド信号を変調して送信する送信部と、
前記送信部と同期を取りながら信号を受信する受信部と、
サーキュレータを介して前記送信部及び前記受信部に接続され、送受信に兼用されるアンテナと、
前記送信部及び前記受信部による送受信を制御する制御部と、
前記送信部と前記サーキュレータとの間に設けられ、前記送信部から送信される信号の位相を変化させる位相器と、を備え、
前記制御部が、
前記送信部から前記受信部へ回り込む回り込み信号の電圧レベルを、前記受信部の構成要素を利用して検出する回り込み信号レベル検出手段と、
前記回り込み信号の電圧レベルに応じて、前記送信部から送信される信号の位相を自動的に調整する位相自動調整手段と、を備えることを特徴とする無線通信装置。
【請求項２】
前記受信部が、
前記送信部と同期を取りながら信号を受信するミキサと、
ミキサ出力の必要な帯域だけを通過させるバンドパスフィルタと、
バンドパスフィルタ出力を増幅するアンプと、
アンプ出力の電圧レベルをデジタル値に変換するＡ／Ｄコンバータと、
Ａ／Ｄコンバータ出力を復号する復号部と、
ミキサ出力を前記Ａ／Ｄコンバータに直接入力可能なバイパス経路と、
前記バイパス経路の有効／無効を選択的に切り換えるスイッチと、を備え、
前記回り込み信号レベル検出手段が、
前記回り込み信号の電圧レベルを検出する際に、前記スイッチの切り換え制御にもとづいて、ミキサ出力を前記Ａ／Ｄコンバータに直接入力させ、当該Ａ／Ｄコンバータ出力を前記制御部に入力させる請求項１記載の無線通信装置。
【請求項３】
前記位相自動調整手段が、
前記送信部が信号を送信しているときに検出した前記回り込み信号の電圧レベルと、前記送信部が信号を送信していないときに検出した前記回り込み信号の電圧レベルとの差分が所定の閾値以下となるように、前記送信部から送信される信号の位相を自動的に調整する請求項１又は２記載の無線通信装置。
【請求項４】
前記制御部が、
実際の送受信動作を行う前に、前記回り込み信号レベル検出手段による回り込み信号レベルの検出と、前記位相自動調整手段による自動的な位相調整とを実行する請求項１〜３のいずれか一項に記載の無線通信装置。
【請求項５】
複数のアンテナと、
使用するアンテナを切り換えるスイッチと、を備え、
前記制御部が、
アンテナの切り換えが行われた後に、前記回り込み信号レベル検出手段による回り込み信号レベルの検出と、前記位相自動調整手段による自動的な位相調整とを実行する請求項１〜４のいずれか一項に記載の無線通信装置。
【請求項６】
ベースバンド信号を変調して送信する送信部と、
前記送信部と同期を取りながら信号を受信する受信部と、
サーキュレータを介して前記送信部及び前記受信部に接続され、送受信に兼用されるアンテナと、
前記送信部及び前記受信部による送受信を制御する制御部と、を備える無線通信装置に、
前記送信部から送信される信号の位相を変化させる位相器を設け、
前記制御部に、
前記送信部から前記受信部へ回り込む回り込み信号の電圧レベルを、前記受信部の構成要素を利用して検出する回り込み信号レベル検出手順と、
前記回り込み信号の電圧レベルに応じて、前記送信部から送信される信号の位相を自動的に調整する位相自動調整手順と、を実行させることを特徴とする無線通信方法。
【請求項７】
前記送信部と同期を取りながら信号を受信するミキサと、
ミキサ出力の必要な帯域だけを通過させるバンドパスフィルタと、
バンドパスフィルタ出力を増幅するアンプと、
アンプ出力の電圧レベルをデジタル値に変換するＡ／Ｄコンバータと、
Ａ／Ｄコンバータ出力を復号する復号部と、を備える前記受信部に、
ミキサ出力を前記Ａ／Ｄコンバータに直接入力可能なバイパス経路と、
前記バイパス経路の有効／無効を選択的に切り換えるスイッチと、を設け、
前記回り込み信号レベル検出手順が、
前記回り込み信号の電圧レベルを検出する際に、前記スイッチの切り換え制御にもとづいて、ミキサ出力を前記Ａ／Ｄコンバータに直接入力させ、当該Ａ／Ｄコンバータ出力を前記制御部に入力させる請求項６記載の無線通信方法。
【請求項８】
無線タグと無線通信を行うにあたり、
ベースバンド信号を変調して送信する送信部と、
前記送信部と同期を取りながら信号を受信する受信部と、
サーキュレータを介して前記送信部及び前記受信部に接続され、送受信に兼用されるアンテナと、
前記送信部及び前記受信部による送受信を制御する制御部と、
前記送信部と前記サーキュレータとの間に設けられ、前記送信部から送信される信号の位相を変化させる位相器と、を備え、
前記制御部が、
前記送信部から前記受信部へ回り込む回り込み信号の電圧レベルを、前記受信部の構成要素を利用して検出する回り込み信号レベル検出手段と、
前記回り込み信号の電圧レベルに応じて、前記送信部から送信される信号の位相を自動的に調整する位相自動調整手段と、を備えることを特徴とする無線タグリーダライタ。
【請求項９】
前記受信部が、
前記送信部と同期を取りながら信号を受信するミキサと、
ミキサ出力の必要な帯域だけを通過させるバンドパスフィルタと、
バンドパスフィルタ出力を増幅するアンプと、
アンプ出力の電圧レベルをデジタル値に変換するＡ／Ｄコンバータと、
Ａ／Ｄコンバータ出力を復号する復号部と、
ミキサ出力を前記Ａ／Ｄコンバータに直接入力可能なバイパス経路と、
前記バイパス経路の有効／無効を選択的に切り換えるスイッチと、を備え、
前記回り込み信号レベル検出手段が、
前記回り込み信号の電圧レベルを検出する際に、前記スイッチの切り換え制御にもとづいて、ミキサ出力を前記Ａ／Ｄコンバータに直接入力させ、当該Ａ／Ｄコンバータ出力を前記制御部に入力させる請求項８記載の無線タグリーダライタ。
【発明の詳細な説明】
【技術分野】
【０００１】
本発明は、送信部と受信部がアンテナを共有する無線通信装置、無線通信方法及び無線タグリーダライタに関する。
【背景技術】
【０００２】
送信部と受信部がアンテナを共有する無線通信装置が知られている。
例えば、図７に示す無線タグリーダライタ１００では、フロントエンド回路１０１のサーキュレータ（方向性結合器）１０２を介して、送信部１０３、受信部１０４及びアンテナ１０５が接続される。
そして、受信部１０４が送信部１０３と同期を取りながら信号を受信することにより、アンテナ１０５が共有されている。
【０００３】
ところで、このような無線通信装置では、送信部１０３から受信部１０４への回り込み信号１０６、１０７が発生し、受信部１０４の処理に悪影響を与えるおそれがある。
すなわち、サーキュレータ１０２を介して、送信部１０３、受信部１０４及びアンテナ１０５を接続すると、サーキュレータ１０２のアイソレーション特性による送信信号の回り込み（回り込み信号１０６）や、アンテナ１０５のリターンロス特性による送信信号の回り込み（回り込み信号１０７）が発生し、その合成信号１０８が受信部１０４のミキサ１０９に入力されることになる。
このため、受信部１０４のＡ／Ｄコンバータ１１０に入力されるアナログ波形が乱れ、復号部１１１での処理に失敗する場合がある。
【０００４】
そこで、送信部から受信部への信号の回り込みを抑制する無線通信装置が提案されている。
例えば、特許文献１、２に示される無線通信装置では、回り込み信号と逆相のキャンセル信号を生成し、このキャンセル信号で回り込み信号を打ち消すことにより、受信部における回り込み信号の影響を低減させている。
【先行技術文献】
【特許文献】
【０００５】
【特許文献１】特開２００６−２０３４６９号公報
【特許文献２】特開２００８−０２８４５０号公報
【発明の概要】
【発明が解決しようとする課題】
【０００６】
しかしながら、特許文献１、２に示される無線通信装置では、送信部から受信部への回り込み信号をキャンセル信号で打ち消すために、分配器、減衰器、位相器、合成器、受信強度検出回路など、多くの部品を追加する必要があった。
このため、回路構成が複雑になるだけでなく、製造コストが上昇するという問題があった。
【０００７】
また、特許文献１、２に示される無線通信装置のように、フロントエンド回路の送信側に分配器を設けると、ここで発生する損失をアンプのゲインで補わなくてはならず、消費電力が大きくなるという問題があった。
さらに、特許文献１、２に示される無線通信装置のように、フロントエンド回路の受信側に合成器を設けると、受信信号のＳＮ比が劣化するという問題が発生した。
【０００８】
本発明の目的は、上述した課題である、送信部から受信部への回り込み信号を低コストで低減できるとともに、分配器及び合成器を不要にして消費電力の増加やＳＮ比の低下も回避することができる無線通信装置、無線通信方法及び無線タグリーダライタの提供を目的とする。
【課題を解決するための手段】
【０００９】
上記目的を達成するため本発明の無線通信装置は、ベースバンド信号を変調して送信する送信部と、前記送信部と同期を取りながら信号を受信する受信部と、サーキュレータを介して前記送信部及び前記受信部に接続され、送受信に兼用されるアンテナと、前記送信部及び前記受信部による送受信を制御する制御部と、前記送信部と前記サーキュレータとの間に設けられ、前記送信部から送信される信号の位相を変化させる位相器と、を備え、前記制御部が、前記送信部から前記受信部へ回り込む回り込み信号の電圧レベルを、前記受信部の構成要素を利用して検出する回り込み信号レベル検出手段と、前記回り込み信号の電圧レベルに応じて、前記送信部から送信される信号の位相を自動的に調整する位相自動調整手段と、を備える構成としてある。
【００１０】
また、本発明の無線通信方法は、ベースバンド信号を変調して送信する送信部と、前記送信部と同期を取りながら信号を受信する受信部と、サーキュレータを介して前記送信部及び前記受信部に接続され、送受信に兼用されるアンテナと、前記送信部及び前記受信部による送受信を制御する制御部と、を備える無線通信装置に、前記送信部から送信される信号の位相を変化させる位相器を設け、前記制御部に、前記送信部から前記受信部へ回り込む回り込み信号の電圧レベルを、前記受信部の構成要素を利用して検出する回り込み信号レベル検出手順と、前記回り込み信号の電圧レベルに応じて、前記送信部から送信される信号の位相を自動的に調整する位相自動調整手順と、を実行させる方法としてある。
【００１１】
また、本発明の無線タグリーダライタは、無線タグと無線通信を行うにあたり、ベースバンド信号を変調して送信する送信部と、前記送信部と同期を取りながら信号を受信する受信部と、サーキュレータを介して前記送信部及び前記受信部に接続され、送受信に兼用されるアンテナと、前記送信部及び前記受信部による送受信を制御する制御部と、前記送信部と前記サーキュレータとの間に設けられ、前記送信部から送信される信号の位相を変化させる位相器と、を備え、前記制御部が、前記送信部から前記受信部へ回り込む回り込み信号の電圧レベルを、前記受信部の構成要素を利用して検出する回り込み信号レベル検出手段と、前記回り込み信号の電圧レベルに応じて、前記送信部から送信される信号の位相を自動的に調整する位相自動調整手段と、を備える構成としてある。
【発明の効果】
【００１２】
本発明によれば、送信部から受信部への回り込み信号を低コストで低減できるだけでなく、分配器及び合成器を不要にして消費電力の増加やＳＮ比の低下も回避することができる。
【図面の簡単な説明】
【００１３】
【図１】本発明の第一実施形態に係る無線通信装置の構成を示すブロック図である。
【図２】本発明の第一実施形態に係る無線通信装置の動作手順を示すフローチャートである。
【図３】本発明の第一実施形態に係る無線通信装置の回り込み抑制処理の処理手順を示すフローチャートである。
【図４】本発明の第一実施形態に係る無線通信装置の位相調整用テーブルを示す説明図である。
【図５】本発明の第二実施形態に係る無線通信装置の構成を示すブロック図である。
【図６】本発明の第二実施形態に係る無線通信装置の動作手順を示すフローチャートである。
【図７】参考例に係る無線通信装置の構成を示すブロック図である。
【発明を実施するための形態】
【００１４】
以下、本発明に係る無線通信装置、無線通信方法及び無線タグリーダライタの実施形態について、図面を参照して説明する。
［第一実施形態］
図１は、本発明の第一実施形態に係る無線通信装置の構成を示すブロック図である。
この図に示すように、本発明の第一実施形態に係る無線通信装置１Ａは、無線タグ（ＲＦＩＤ）と無線通信を行う無線タグリーダライタであり、送信部２と、受信部３と、フロントエンド回路４と、アンテナ５と、制御部６とを備えて構成されている。
【００１５】
送信部２は、制御部６から入力されるベースバンド信号を変調し、これを搬送波として送信する。
また、送信部２は、フィルタ（図示せず）を有しており、不要な帯域の信号を減衰させる。
なお、送信部２のクロック信号は、発振器７から供給される。
【００１６】
受信部３は、ミキサ３１と、バンドパスフィルタ３２と、アンプ３３と、Ａ／Ｄコンバータ３４と、復号部３５とを備えている。
ミキサ３１は、送信部２と同期を取りながら信号を受信する。
バンドパスフィルタ３２は、ミキサ出力の必要な帯域だけを通過させる。
アンプ３３は、バンドパスフィルタ出力を増幅する。
Ａ／Ｄコンバータ３４は、アンプ出力の電圧レベルをデジタル値に変換する。
復号部３５は、Ａ／Ｄコンバータ出力を復号する。
【００１７】
フロントエンド回路４は、アンプ４１と、サーキュレータ４２とを備えている。
アンプ４１は、送信部２から送信される信号を増幅する。
サーキュレータ４２は、送信部２、受信部３及びアンテナ５に接続され、アンテナ５を送信部２と受信部３に共有させる。
【００１８】
制御部６は、ベースバンド信号の送受信を行う機能を持ち、送信部２に対してベースバンド信号を送信する。
また制御部６は、搬送波の送信命令、搬送波の停止命令を送信部２に送ることで、搬送波の送信、停止を制御する。
【００１９】
上記のように構成される無線通信装置１Ａでは、サーキュレータ４２のアイソレーション特性による送信信号の回り込み（回り込み信号８）や、アンテナ５のリターンロス特性による送信信号の回り込み（回り込み信号９）が発生し、その合成信号１０が受信部３のミキサ３１に入力されるおそれがある。
これらの回り込み信号８、９は、受信部３のＡ／Ｄコンバータ３４に入力されるアナログ波形を乱し、復号部３５での処理に失敗させる可能性があるので、可及的に抑制することが望まれる。
【００２０】
本実施形態に係る無線通信装置１Ａでは、上記の回り込み信号８、９を抑制するために、Ｄ／Ａコンバータ６１と、電圧可変位相器（位相器）４３と、バイパス経路３６と、スイッチ３７、３８と、回り込み信号レベル検出手段６２と、位相自動調整手段６３とが追加される。
【００２１】
Ｄ／Ａコンバータ６１は、電圧可変位相器４３を制御するために、制御部６に追加されるハードウェアである。
電圧可変位相器４３は、フロントエンド回路４のアンプ４１とサーキュレータ４２との間に追加されるハードウェアであり、送信部２から送信される信号の位相を変化させる。
バイパス経路３６及びスイッチ３７、３８は、受信部３に追加されるハードウェアであり、バイパス経路３６は、ミキサ出力をＡ／Ｄコンバータ３４に直接入力可能であり、スイッチ３７、３８は、バイパス経路３６の有効／無効を選択的に切り換える。
【００２２】
回り込み信号レベル検出手段６２及び位相自動調整手段６３は、制御部６に追加されるソフトウェアである。
回り込み信号レベル検出手段６２は、送信部２から受信部３へ回り込む回り込み信号８、９（合成信号１０）の電圧レベルを、受信部３の構成要素であるＡ／Ｄコンバータ３４を利用して検出する。
具体的には、回り込み信号８、９の電圧レベルを検出する際に、スイッチ３７、３８の切り換え制御にもとづいて、ミキサ出力をＡ／Ｄコンバータ３４に直接入力させ、当該Ａ／Ｄコンバータ出力を制御部６に入力させる。
【００２３】
位相自動調整手段６３は、回り込み信号８、９の電圧レベルに応じて、送信部２から送信される信号の位相を自動的に調整する。
具体的には、送信部２が信号を送信しているときに検出した回り込み信号８、９の電圧レベルと、送信部２が信号を送信していないときに検出した回り込み信号８、９の電圧レベルとの差分が所定の閾値以下となるように、送信部２から送信される信号の位相を自動的に調整する。
【００２４】
次に、本発明の第一実施形態に係る無線通信装置１Ａの動作手順について、図２〜図４を参照して説明する。
図２は、本発明の第一実施形態に係る無線通信装置の動作手順を示すフローチャート、図３は、本発明の第一実施形態に係る無線通信装置の回り込み抑制処理の処理手順を示すフローチャート、図４は、本発明の第一実施形態に係る無線通信装置の位相調整用テーブルを示す説明図である。
【００２５】
図２に示すように、本発明の第一実施形態に係る無線通信装置１Ａの制御部６は、実際の送受信動作であるコマンド送信処理（Ｓ１０３）の開始を判断し（Ｓ１０１）、コマンド送信処理の開始前に回り込み抑制処理（Ｓ１０２）を実行する。
回り込み抑制処理は、回り込み信号レベル検出手段６２による回り込み信号レベルの検出と、位相自動調整手段６３による自動的な位相調整とを含む処理であり、具体的な処理手順を図３に沿って説明する。
なお、本実施形態では、ミキサ３１とＡ／Ｄコンバータ３４をバイパスし、搬送波を出力していない状態で検出したミキサ出力の電圧レベルと、後述する位相調整用テーブルを予め制御部６に保持している。
【００２６】
図３に示すように、回り込み抑制処理では、まず、ミキサ３１とＡ／Ｄコンバータ３４をバイパスするためにスイッチ３７、３８をオンさせる（Ｓ２０１）。
次に、制御部６が保持する位相調整用テーブル（図４参照）において、エントリが１番目の設定値をＤ／Ａコンバータ６１の入力値とし（Ｓ２０２）、電圧可変位相器４３の位相を変更する（Ｓ２０３）。
なお、位相調整用テーブルの要素は、図４に示すように、電圧可変位相器４３の角度と、それに対応するＤ／Ａコンバータ６１の入力値（設定値）である。
【００２７】
次に、制御部６から送信部２に対して搬送波の出力を指示し、送信部２から搬送波を出力させる（Ｓ２０４）。
搬送波が出力されると、受信部３側に、サーキュレータ４２のアイソレーション特性による送信信号の回り込み（回り込み信号８）とアンテナ５のリターンロス特性による送信信号の回り込み（回り込み信号９）が発生し、ミキサ３１にその合成信号１０が入力される。
Ａ／Ｄコンバータ３４は、ミキサ３１の出力電圧レベルをデジタル値に変換して復号部３５に入力し、復号部３５は、このデジタル値を保持する。
【００２８】
制御部６は、搬送波の出力が一定になるのを待ってから（Ｓ２０５）、復号部３５よりＡ／Ｄコンバータ３４の出力値を取得し（Ｓ２０６）、制御部６が保持している搬送波無出力状態でのミキサ出力電圧レベルとの差を計算する（Ｓ２０７）。
その差が所定の閾値以下（Ｓ２０８）となったならば、スイッチ３７、３８をオフにし（Ｓ２０９）、回り込み抑制処理が終わる。
なお、ステップＳ２０８で用いる閾値は、設計、検証時の測定値にもとづいて予め設定される。
【００２９】
一方、閾値以下でないならば、位相調整用テーブルの次のエントリを取得する（Ｓ２１０）。
取得したエントリにあるＤ／Ａコンバータ６１の設定値を設定し、フロントエンド回路４の電圧可変位相器４３の位相を変更する（Ｓ２１１）。
そして、制御部６は、再度復号部３５からＡ／Ｄコンバータ３４の出力値を取得し（Ｓ２０６）、ステップＳ２０７及びステップＳ２０８の処理を実行する。これらの処理は、ステップＳ２０８において、前記の差が所定の閾値以下であると判断されるまで繰り返される。
【００３０】
以上説明したように、本実施形態の無線通信装置１Ａによれば、ベースバンド信号を変調して送信する送信部２と、送信部２と同期を取りながら信号を受信する受信部３と、サーキュレータ４２を介して送信部２及び受信部３に接続され、送受信に兼用されるアンテナ５と、送信部２及び受信部３による送受信を制御する制御部６と、送信部２とサーキュレータ４２との間に設けられ、送信部２から送信される信号の位相を変化させる電圧可変位相器４３とを備え、制御部６が、送信部２から受信部３へ回り込む回り込み信号８、９の電圧レベルを、受信部３の構成要素を利用して検出する回り込み信号レベル検出手段６２と、回り込み信号の電圧レベルに応じて、送信部２から送信される信号の位相を自動的に調整する位相自動調整手段６３とを備えるので、送信部２から受信部３への回り込み信号を低コストで低減することができる。
【００３１】
すなわち、本実施形態に係る無線通信装置１Ａは、受信部３の構成要素を利用して回り込み信号８、９の電圧レベルを検出するだけでなく、送信信号の位相調整にもとづいて回り込み信号８、９を低減させるので、回り込み信号を打ち消すものに比して、必要な部品点数を大幅に削減し、コストを低下させることができる。
しかも、分配器及び合成器が不要になるので、消費電力の増加やＳＮ比の低下も回避することができる。
【００３２】
また、受信部３は、送信部２と同期を取りながら信号を受信するミキサ３１と、ミキサ出力の必要な帯域だけを通過させるバンドパスフィルタ３２と、バンドパスフィルタ出力を増幅するアンプ３３と、アンプ出力の電圧レベルをデジタル値に変換するＡ／Ｄコンバータ３４と、Ａ／Ｄコンバータ出力を復号する復号部３５と、ミキサ出力をＡ／Ｄコンバータ３４に直接入力可能なバイパス経路３６と、バイパス経路３６の有効／無効を選択的に切り換えるスイッチ３７、３８と、を備え、回り込み信号レベル検出手段６２が、回り込み信号８、９の電圧レベルを検出する際に、スイッチ３７、３８の切り換え制御にもとづいて、ミキサ出力をＡ／Ｄコンバータ３４に直接入力させ、当該Ａ／Ｄコンバータ出力を制御部６に入力させるので、回り込み信号８、９の電圧レベルを精度良く検出することができる。
その理由は、受信部３の構成要素であるＡ／Ｄコンバータ３４を利用して回り込み信号８、９の電圧レベルを検出するにあたり、バンドパスフィルタ３２の応答性やアンプ３３によるアナログ波形の乱れの影響を排除できるからである。
【００３３】
また、位相自動調整手段６３は、送信部２が信号を送信しているときに検出した回り込み信号８、９の電圧レベルと、送信部２が信号を送信していないときに検出した回り込み信号８、９の電圧レベルとの差が所定の閾値以下となるように、送信部２から送信される信号の位相を自動的に調整するので、回り込み信号８、９以外を原因とする電圧レベルの変動をキャンセルし、精度の高い位相調整を行うことができる。
さらに、制御部６は、実際の送受信動作を行う前に、回り込み信号レベル検出手段６２による回り込み信号レベルの検出と、位相自動調整手段６３による自動的な位相調整とを実行するので、実際の送受信動作における回り込み信号８、９を確実に抑制することができる。
【００３４】
［第二実施形態］
次に、本発明の第二実施形態に係る無線通信装置１Ｂについて、図５及び図６を参照して説明する。ただし、前記実施形態と共通の部分については、前記実施形態と同じ符号を付けることにより、前記実施形態の説明を援用する。
図５は、本発明の第二実施形態に係る無線通信装置の構成を示すブロック図、図６は、本発明の第二実施形態に係る無線通信装置の動作手順を示すフローチャートである。
【００３５】
これらの図に示すように、本発明の第二実施形態に係る無線通信装置１Ｂは、複数のアンテナ５−１〜５−ｎと、使用するアンテナ５−１〜５−ｎを切り換えるスイッチ１１とを備え、制御部６が、アンテナ５−１〜５−ｎの切り換えが行われた後に、回り込み信号レベル検出手段６２による回り込み信号レベルの検出と、位相自動調整手段６３による自動的な位相調整とを実行する点が前記実施形態と相違している。
具体的には、図６に示すように、アンテナ５−１〜５−ｎの切り換えを判断し（Ｓ３０１）、アンテナ５−１〜５−ｎの切り換え後に、回り込み抑制処理（Ｓ３０２）を実行する。
なお、第二実施形態の回り込み抑制処理は、図３に示す第一実施形態の回り込み抑制処理と同じ内容の処理である。
【００３６】
以上のように構成された第二実施形態によれば、複数のアンテナ５−１〜５−ｎと、使用するアンテナ５−１〜５−ｎを切り換えるスイッチ１１とを備え、制御部６が、アンテナ５−１〜５−ｎの切り換えが行われた後に、回り込み信号レベル検出手段６２による回り込み信号レベルの検出と、位相自動調整手段６３による自動的な位相調整とを実行するので、アンテナ５−１〜５−ｎの切り換えにより、アンテナ５−１〜５−ｎのリターンロス特性による送信信号の回り込みに変化が生じても、この回り込み信号９を確実に抑制することができる。
【００３７】
以上、本発明に係る無線通信装置、無線通信方法及び無線タグリーダライタについて実施形態を示して説明したが、本発明の無線通信装置、無線通信方法及び無線タグリーダライタは、上述した実施形態にのみ限定されるものではなく、特許請求の範囲内で種々の変更が可能であることは言うまでもない。
【産業上の利用可能性】
【００３８】
本発明は、送信部と受信部がアンテナを共有する無線通信装置、無線通信方法及び無線タグリーダライタに適用することができる。
【符号の説明】
【００３９】
１Ａ  無線通信装置
１Ｂ  無線通信装置
２    送信部
３    受信部
４    フロントエンド回路
５    アンテナ
６    制御部
７    発振器
８    回り込み信号
９    回り込み信号
１０  合成信号
１１  スイッチ
３１  ミキサ
３２  バンドパスフィルタ
３３  アンプ
３４  Ａ／Ｄコンバータ
３５  復号部
３６  バイパス経路
３７  スイッチ
３８  スイッチ
４１  アンプ
４２  サーキュレータ
４３  電圧可変位相器
６１  Ｄ／Ａコンバータ
６２  信号レベル検出手段
６３  位相自動調整手段
【図１】
2011087137.tif 000003
【図２】
2011087137.tif 000004
【図３】
2011087137.tif 000005
【図４】
2011087137.tif 000006
【図５】
2011087137.tif 000007
【図６】
2011087137.tif 000008
【図７】
2011087137.tif 000009